【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
ディジタルオーディオエンコーディング方法であって、
ＰＣＭオーディオデータサンプルからなるＰＣＭでエンコードされたオーディオ情報を受け取るステップと、
第１の形式のディジタルオーディオコーディングにより前記オーディオ情報をエンコードするステップであって、該エンコードされたオーディオ情報が自己完結型データユニットを有することを特徴とするステップと、
第２の形式のディジタルオーディオコーディングにより前記オーディオ情報をエンコードするステップであって、該エンコードされたオーディオ情報が自己完結型データユニットを有し、対応する対となった前記第１の形式のディジタルオーディオコーディングによりエンコードされた自己完結型データユニットと前記第２の形式のディジタルオーディオコーディングによりエンコードされた自己完結型データユニットとは、第１のオーディオ情報と第２のオーディオ情報が同じ基礎を成すオーディオ情報を表すような、同じＰＣＭオーディオデータサンプルを表すことを特徴とするステップと、
多重化ステップであって、少なくとも第１の形式のディジタルオーディオコーディングによりエンコードされたオーディオ情報と第２の形式のディジタルオーディオコーディングによりエンコードされたオーディオ情報とを多重化して、伝送のための混成データストリームにすることを特徴とするステップと、
を具備することを特徴とするディジタルオーディオエンコーディング方法。
【請求項２】
前記第２の形式のディジタルオーディオコーディングにより前記オーディオ情報をエンコードするステップは、前記第１の形式のディジタルオーディオコーディングにより前記オーディオ情報をエンコードするステップより低いデータ転送速度及び／又は強力なエラー修正能力を有することを特徴とする請求項１に記載のディジタルオーディオエンコーディング方法。
【請求項３】
前記第１のエンコーディングにより、第１の形式のディジタルオーディオコーディングによりエンコードされたオーディオ情報を第１のディジタルオーディオストリームにエンコードし、前記第２のエンコーディングにより、第２の形式のディジタルオーディオコーディングによりエンコードされたオーディオ情報を第２のディジタルオーディオストリームにエンコードして、前記ストリームを前記自己完結型データユニットに分割し、前記多重化ステップにより、少なくとも前記第１のディジタルオーディオストリームと前記第２のディジタルオーディオストリームとを多重化して混成データストリームにすることを特徴とする、請求項１又は請求項２に記載のディジタルオーディオエンコーディング方法。
【請求項４】
前記自己完結型データユニットの各々は、１以上のフレームを具備することを特徴とする請求項１又は請求項２に記載のディジタルオーディオエンコーディング方法。
【請求項５】
前記第２のエンコードされたオーディオ情報は、基礎をなすオーディオ中に前記第１のエンコードされたオーディオ情報より詳細でない、方向情報を表すことを特徴とする請求項１又は請求項２に記載のディジタルオーディオエンコーディング方法。
【請求項６】
ディジタルオーディオデコーディング方法であって、
第１の形式のディジタルオーディオコーディングによりエンコードされた第１のオーディオ情報と第２の形式のオーディオコーディングによりエンコードされた第２のオーディオ情報とを受け取るステップであって、前記第１のオーディオ情報と前記第２のオーディオ情報の各々は、自己完結型データユニットを有し、対応する対となった前記第１のオーディオ情報と前記第２のオーディオ情報中の自己完結型データユニットは同じ基礎を成すオーディオ情報を表すことを特徴とするステップと、
前記第１のオーディオ情報中にあるエラーと欠落を表示するエラー信号、又は前記第１のオーディオ情報中のエラーと欠落を検出するエラー信号を受け取るステップと、
ＰＣＭオーディオ出力及び／又は第１の形式のディジタルオーディオコーディングに従うエンコードされたオーディオ出力を出力するステップと、
を具備し、
ＰＣＭオーディオ出力は、前記第１のオーディオ情報にエラー又は欠落が検出されないとき、第１のオーディオ情報をデコーディングすることにより出力され、前記第１のオーディオ情報にエラー又は欠落が検出されたとき、第１のオーディオ情報の代わりに第２のオーディオ情報をデコーディングすることにより出力され、及び／又は、
前記第１の形式のディジタルオーディオコーディングに従うエンコードされたオーディオ出力は、前記第１のオーディオ情報にエラー又は欠落が検出されなかったとき、前記第１のオーディオ情報から導き出され、前記第１のオーディオ情報にエラー又は欠落が検出されたとき、第２のオーディオ情報をトランスコーディングすることにより導き出されることを特徴とする、
ディジタルオーディオデコーディング方法。
【請求項７】
前記同じ基礎を成すオーディオ情報は同じＰＣＭオーディオデータサンプルを表すことを特徴とする請求項６に記載のディジタルオーディオデコーディング方法。
【請求項８】
前記トランスコーディングは、前記第２のオーディオ情報を前記第１のオーディオ情報のディジタルオーディオコーディングの形式にトランスコードすることを特徴とする請求項６に記載のディジタルオーディオデコーディング方法。
【請求項９】
前記トランスコーディングは、前記第２のオーディオ情報のチャンネルフォーマッティングを補正することを特徴とする請求項８に記載のディジタルオーディオデコーディング方法。
【請求項１０】
前記第１の形式のディジタルオーディオコーディングに準拠するエンコードされたオーディオ出力が出力されたとき、前記第１の形式のディジタルオーディオコーディングに準拠する前記エンコードされたオーディオ出力をフォーマットするカップリングインターフェースを具備する請求項６に記載のディジタルオーディオデコーディング方法。
【請求項１１】
ＰＣＭオーディオ出力及び／又は前記第１の形式のディジタルオーディオコーディングに準拠するオーディオ出力を出力するステップには、前記エラー信号に従い前記第１のオーディオ情報と前記第２のオーディオ情報から対応する１対の自己完結型データユニットを選択するステップが含まれていることを特徴とする請求項６に記載のディジタルオーディオデコーディング方法。
【請求項１２】
前記出力は、前記第１の形式のディジタルオーディオコーディングに準拠するエンコードされたオーディオ出力を、エンコードされたビットストリームの形式で出力することを特徴とする請求項６に記載のディジタルオーディオデコーディング方法。
【請求項１３】
前記第１のオーディオ情報と前記第２のオーディオ情報は各々エンコードされたビットストリームとして受け取られることを特徴とする請求項６に記載のディジタルオーディオデコーディング方法。
【請求項１４】
前記出力するステップでは、前記第１の形式のディジタルオーディオコーディングに準拠するエンコードされたオーディオ出力を、エンコードされたビットストリームの形式で出力し、該エンコードされたオーディオ出力のビットストリームはエンコードされたビットストリームである前記第１のオーディオ情報のデータ転送速度とは異なったデータ転送速度を有することを特徴とする請求項１３に記載のディジタルオーディオデコーディング方法。
【請求項１５】
前記出力するステップにてＰＣＭオーディオ出力を出力する場合、前記第１のオーディオ情報をデコーディングするステップ、及び、前記第２のオーディオ情報をデコーディングするステップには、共通するデコーディングステップ又は部分的に共通デコーディングステップが含まれていることを特徴とする請求項６に記載のディジタルオーディオデコーディング方法。
【請求項１６】
前記第１の形式のディジタルオーディオコーディングはＡＣ−３コーディングであり、前記第２の形式のディジタルオーディオコーディングは補正されたＡＣ−３コーディングであることを特徴とする請求項６に記載のディジタルオーディオデコーディング方法。
【請求項１７】
前記補正されたＡＣ−３コーディングは、高周波再生を採用することを特徴とする請求項１６に記載のディジタルオーディオデコーディング方法。
【請求項１８】
前記第２のオーディオ情報は、前記第２のオーディオ情報をトランスコーディングするのに用いることができるトランスコーディング情報を含み、前記出力するステップで前記第１の形式のディジタルオーディオコーディングに従うエンコードされた出力を出力する場合、前記トランスコーディングでは前記トランスコーディング情報を用いることを特徴とする請求項１６に記載のディジタルオーディオデコーディング方法。
【請求項１９】
前記出力するステップにてＰＣＭオーディオ出力を出力する場合、前記第１のオーディオ情報をデコーディングするステップは、前記第１の形式のディジタルオーディオコーディングのためのデコーダを含む装置により実行され、前記第２のオーディオ情報をデコーディングするステップは、第２の形式のディジタルオーディオコーディングを第１の形式のディジタルオーディオコーディングにトランスコードするトランスコーダを含む装置と第１の形式のディジタルオーディオコーディングのための前記デコーダにより実行され、共通デコーダが前記第１のオーディオ情報及び前記第２のオーディオ情報に用いられることを特徴とする請求項６に記載のディジタルオーディオデコーディング方法。
【請求項２０】
前記出力するステップにてＰＣＭオーディオ出力を出力する場合、前記第１のオーディオ情報と前記第２のオーディオ情報とをデコーディングするステップは、前記第１の形式のディジタルオーディオコーディングと前記第２の形式のディジタルオーディオコーディングとのための共通のデコーディング部分を含むデコーダ（３２）を含む装置により実行されることを特徴とする請求項６に記載のディジタルオーディオデコーディング方法。
【請求項２１】
前記出力するステップにてＰＣＭオーディオ出力を出力する場合、
ＰＣＭオーディオ出力を出力するための前記第１のオーディオ情報をデコーディングするステップ（３６）には、部分的にデコードされた第１のオーディオ情報を出力するために前記第１のオーディオ情報を部分的にデコードするステップが含まれ、
ＰＣＭオーディオ出力を出力するための前記第２のオーディオ情報をデコーディングするステップ（３８）には、部分的にデコードされた第２のオーディオ情報を出力するために前記第２のオーディオ情報を部分的にデコードするステップが含まれ、
前記第１のオーディオ情報をデコーディングするステップと前記第２のオーディオ情報をデコーディングするステップとには、ＰＣＭオーディオ出力を出力するための前記部分的にデコードされた第１と第２のオーディオ情報を共通して仕上げデコーディング（４０）するステップが含まれることを特徴とする請求項６に記載のディジタルオーディオデコーディング方法。
【請求項２２】
前記出力するステップにて第１の形式のディジタルオーディオコーディングに従うエンコードされたオーディオ出力を出力する場合、前記第２のオーディオ情報をトランスコーディングするステップには、前記第２のオーディオ情報から導き出された前記部分的にデコードされたディジタルオーディオ信号を仕上げトランスコーディングするステップ（４６）が含まれることを特徴とする請求項２１に記載のディジタルオーディオデコーディング方法。
【請求項２３】
前記出力するステップにてＰＣＭオーディオ出力を出力する場合、前記第１のオーディオ情報をデコーディングするステップと前記第２のオーディオ情報をデコーディングするステップとには、前記第１と第２のオーディオ情報を部分的にデコーディングするステップと仕上げデコーディングするステップとが含まれることを特徴とする請求項６に記載のディジタルオーディオデコーディング方法。
【請求項２４】
前記出力するステップにて第１の形式のディジタルオーディオコーディングに従うエンコードされたオーディオ出力を出力する場合、前記第２のオーディオ情報をトランスコーディングするステップには、前記部分的にデコードするステップと、さらに、前記第２のオーディオ情報の部分的なデコーディングがＰＣＭオーディオ出力を出力するための前記第２のオーディオ情報をデコーディングするステップと共通し、前記第１の形式のディジタルオーディオコーディングに従うエンコードされた出力を出力する前記第２のオーディオ情報をトランスコーディングするステップと共通するように前記部分的にデコードされた第２のオーディオ情報のトランスコーディングを完了させるステップとを含むことを特徴とする請求項２３に記載のディジタルオーディオデコーディング方法。
【請求項２５】
ディジタルオーディオをエンコードする装置であって、
ＰＣＭオーディオデータサンプルからなるＰＣＭでエンコードされたオーディオ情報を受け取り、
第１の形式のディジタルオーディオコーディングにより前記オーディオ情報をエンコードして、該エンコードされたオーディオ情報が自己完結型データユニットを有するようにし、
第２の形式のディジタルオーディオコーディングにより前記オーディオ情報をエンコードして、該エンコードされたオーディオ情報が自己完結型データユニットを有し、対応する対となった前記第１の形式のディジタルオーディオコーディングによりエンコードされた自己完結型データユニットと前記第２の形式のディジタルオーディオコーディングによりエンコードされた自己完結型データユニットとは、第１のオーディオ情報と第２のオーディオ情報が同じ基礎を成すオーディオ情報を表すような、同じＰＣＭオーディオデータサンプルを表し、
少なくとも第１の形式のディジタルオーディオコーディングによりエンコードされたオーディオ情報と第２の形式のディジタルオーディオコーディングによりエンコードされたオーディオ情報とを多重化して、伝送のための混成データストリームにする、
ことを特徴とするディジタルオーディオをエンコードする装置
【請求項２６】
前記第２の形式のディジタルオーディオコーディングにより前記オーディオ情報をエンコードする場合において、前記第１の形式のディジタルオーディオコーディングにより前記オーディオ情報をエンコードする場合より低いデータ転送速度及び／又は強力なエラー修正能力を有することを特徴とする請求項２５に記載のディジタルオーディオをエンコードする装置。
【請求項２７】
ディジタルオーディオをデコードする装置であって、
第１の形式のディジタルオーディオコーディングによりエンコードされた第１のオーディオ情報と第２の形式のオーディオコーディングによりエンコードされた第２のオーディオ情報とを受け取り、前記第１のオーディオ情報と前記第２のオーディオ情報の各々は、自己完結型データユニットを有し、対応する対となった前記第１のオーディオ情報と前記第２のオーディオ情報中の自己完結型データユニットは同じ基礎を成すオーディオ情報を表すことを特徴とし、
前記第１のオーディオ情報中にあるエラーと欠落を表示するエラー信号、又は第１のオーディオ情報中のエラーと欠落を検出するエラー信号を受け取り、
ＰＣＭオーディオ出力及び／又は第１の形式のディジタルオーディオコーディングに従うエンコードされたオーディオ出力を出力するように構成されたオーディオデコーダを具備し、
ＰＣＭオーディオ出力は、前記第１のオーディオ情報にエラー又は欠落が検出されないとき、第１のオーディオ情報をデコーディングすることにより出力され、前記第１のオーディオ情報にエラー又は欠落が検出されたとき、第１のオーディオ情報の代わりに第２のオーディオ情報をデコーディングすることにより出力され、及び／又は、
前記第１の形式のディジタルオーディオコーディングに従うエンコードされたオーディオ出力は、前記第１のオーディオ情報にエラー又は欠落が検出されなかったとき、前記第１のオーディオ情報から導き出され、前記第１のオーディオ情報にエラー又は欠落が検出されたとき、第２のオーディオ情報をトランスコーディングすることにより導き出されることを特徴とする、
ディジタルオーディオをデコードする装置
【請求項２８】
ディジタルオーディオエンコーダであって、
ＰＣＭオーディオデータサンプルからなるＰＣＭでエンコードされたオーディオ情報を受け取る手段と、
第１の形式のディジタルオーディオコーディングにより前記オーディオ情報をエンコードする手段であって、前記エンコードされたオーディオ情報が自己完結型データユニットを有することを特徴とする手段と、
第２の形式のディジタルオーディオコーディングにより前記オーディオ情報をエンコードする手段であって、前記エンコードされたオーディオ情報が自己完結型データユニットを有し、対応する対となった前記第１の形式のディジタルオーディオコーディングによりエンコードされた自己完結型データユニットと前記第２の形式のディジタルオーディオコーディングによりエンコードされた自己完結型データユニットとは、第１のオーディオ情報と第２のオーディオ情報が同じ基礎を成すオーディオ情報を表すような、同じＰＣＭオーディオデータサンプルを表すことを特徴とする手段と、
多重化手段であって、少なくとも第１の形式のディジタルオーディオコーディングによりエンコードされたオーディオ情報と第２の形式のディジタルオーディオコーディングによりエンコードされたオーディオ情報とを多重化して、伝送のための混成データストリームにすることを特徴とする手段と、
を具備することを特徴とするディジタルオーディオエンコーダ。
【請求項２９】
前記第２の形式のディジタルオーディオコーディングにより前記オーディオ情報をエンコードする手段は、前記第１の形式のディジタルオーディオコーディングにより前記オーディオ情報をエンコードする手段より低いデータ転送速度及び／又は強力なエラー修正能力を有することを特徴とする請求項２８に記載のディジタルオーディオエンコーダ。
【請求項３０】
ディジタルオーディオデコーダであって、
第１の形式のディジタルオーディオコーディングによりエンコードされた第１のオーディオ情報と第２の形式のオーディオコーディングによりエンコードされた第２のオーディオ情報とを受け取る手段であって、前記第１のオーディオ情報と前記第２のオーディオ情報の各々は、自己完結型データユニットを有し、対応する対となった前記第１のオーディオ情報と前記第２のオーディオ情報中の自己完結型データユニットは同じ基礎を成すオーディオ情報を表すことを特徴とする手段と、
前記第１のオーディオ情報中にあるエラーと欠落を表示するエラー信号、又は第１のオーディオ情報中のエラーと欠落を検出するエラー信号を受け取る手段と、
ＰＣＭオーディオ出力及び／又は第１の形式のディジタルオーディオコーディングに従うエンコードされたオーディオ出力を出力する手段と、
を具備し、
ＰＣＭオーディオ出力は、前記第１のオーディオ情報にエラー又は欠落が検出されないとき、第１のオーディオ情報をデコーディングすることにより出力され、前記第１のオーディオ情報にエラー又は欠落が検出されたとき、第１のオーディオ情報の代わりに第２のオーディオ情報をデコーディングすることにより出力され、及び／又は、
前記第１の形式のディジタルオーディオコーディングに従うエンコードされたオーディオ出力は、前記第１のオーディオ情報にエラー又は欠落が検出されなかったとき、前記第１のオーディオ情報から導き出され、前記第１のオーディオ情報にエラー又は欠落が検出されたとき、第２のオーディオ情報をトランスコーディングすることにより導き出されることを特徴とする、
ディジタルオーディオデコーダ。
【請求項３１】
機械可読媒体であって、プログラムコードがそこにエンコードされ、前記プログラムコードが機械により実行されると、前記機械は、
第１の形式のディジタルオーディオコーディングによりエンコードされた第１のオーディオ情報と第２の形式のオーディオコーディングによりエンコードされた第２のオーディオ情報とを受け取るステップであって、前記第１のオーディオ情報と前記第２のオーディオ情報の各々は、自己完結型データユニットを有し、対応する対となった前記第１のオーディオ情報と前記第２のオーディオ情報中の自己完結型データユニットとは同じ基礎を成すオーディオ情報を表すことを特徴とするステップと、
前記第１のオーディオ情報中にあるエラーと欠落を表示するエラー信号、又は第１のオーディオ情報中のエラーと欠落を検出するエラー信号を受け取るステップと、
ＰＣＭオーディオ出力及び／又は第１の形式のディジタルオーディオコーディングに従うエンコードされたオーディオ出力を出力するステップと、
を具備するディジタルオーディオデコーディング方法を実行し、ここで、
ＰＣＭオーディオ出力は、前記第１のオーディオ情報にエラー又は欠落が検出されないとき、第１のオーディオ情報をデコーディングすることにより出力され、前記第１のオーディオ情報にエラー又は欠落が検出されたとき、第１のオーディオ情報の代わりに第２のオーディオ情報をデコーディングすることにより出力され、及び／又は、
前記第１の形式のディジタルオーディオコーディングに従うエンコードされたオーディオ出力は、前記第１のオーディオ情報にエラー又は欠落が検出されなかったとき、前記第１のオーディオ情報から導き出され、前記第１のオーディオ情報にエラー又は欠落が検出されたとき、第２のオーディオ情報をトランスコーディングすることにより導き出されることを特徴とする、
機械可読媒体。
【請求項３２】
ディジタルオーディオのエンコーディング及びデコーディング方法であって、
ＰＣＭオーディオデータサンプルからなるＰＣＭでエンコードされたオーディオ情報を受け取るステップと、
第１の形式のディジタルオーディオコーディングにより前記オーディオ情報をエンコードするステップであって、該エンコードされたオーディオ情報が自己完結型データユニットを有することを特徴とするステップと、
第２の形式のディジタルオーディオコーディングにより前記オーディオ情報をエンコードするステップであって、前記エンコードされたオーディオ情報が自己完結型データユニットを有し、対応する対となった前記第１の形式のディジタルオーディオコーディングによりエンコードされた自己完結型データユニットと前記第２の形式のディジタルオーディオコーディングによりエンコードされた自己完結型データユニットとは、第１のオーディオ情報と第２のオーディオ情報が同じ基礎を成すオーディオ情報を表すような、同じＰＣＭオーディオデータサンプルを表すことを特徴とする、ステップと、
前記第１の形式のディジタルオーディオコーディングによりエンコードされたオーディオ情報と第２の形式のオーディオコーディングによりエンコードされたオーディオ情報とを受け取るステップと、
前記オーディオ情報中にあるエラーと欠落を表示するエラー信号、又は前記オーディオ情報中のエラーと欠落を検出するエラー信号を受け取るステップと、
ＰＣＭオーディオ出力及び／又は第１の形式のディジタルオーディオコーディングに従うエンコードされたオーディオ出力を出力するステップと、
を具備し、
ＰＣＭオーディオ出力は、前記第１のオーディオ情報にエラー又は欠落が検出されないとき、第１のオーディオ情報をデコーディングすることにより出力され、前記第１のオーディオ情報にエラー又は欠落が検出されたとき、第１のオーディオ情報の代わりに第２のオーディオ情報をデコーディングすることにより出力され、及び／又は、
前記第１の形式のディジタルオーディオコーディングに従うエンコードされたオーディオ出力は、前記第１のオーディオ情報にエラー又は欠落が検出されなかったとき、前記第１のオーディオ情報から導き出され、前記第１のオーディオ情報にエラー又は欠落が検出されたとき、第２のオーディオ情報をトランスコーディングすることにより導き出されることを特徴とする、
ディジタルオーディオのエンコーディング及びデコーディング方法。
【手続補正２】
【補正対象書類名】明細書
【補正対象項目名】０００１
【補正方法】変更
【補正の内容】
【０００１】
本発明は、一般にディジタルオーディオシステムに関する。特に本発明は、例えば、ディタルテレビジョンシステムに用いる予備の（すなわち、代わりの）ディジタルオーディオシステムに関し、このオーディオシステムにより、時間的な断絶やうるさい可聴アーティファクト無しに主オーディオから予備オーディオに切り換えられる。本発明の好ましい実施の形態では、ディジタルテレビジョンの標準との関連において説明しているが、本発明は、主ディジタルオーディオおよび予備ディジタルオーディオを採用するあらゆるオーディオシステムに広く適用することができる。本発明の形態には、ディジタルオーディオエンコーディング方法、ディジタルオーディオデコーディング方法、ディジタルオーディオエンコーダ、ディジタルオーディオデコーダ、および、プログラムコードがエンコードされた機械可読媒体が含まれ、このプログラムコードが機械により実行されると、その機械はディジタルオーディオデコーディング方法を実行する。
【手続補正３】
【補正対象書類名】明細書
【補正対象項目名】００２０
【補正方法】変更
【補正の内容】
【００２０】
既知のＨＦＲの方法はMakhoul及びBeroutiの「スピーチコーディングシステムにおける高周波再生」Proc.  of  the  International  Conf.  on  Acoust.,  Speech  and  Signal  Proc.,  １９７９年４月に見つけることができる。高品質の音楽のコーディングに適切な改良されたスペクトル再生技術は、米国特許出願公開番号２００３０１８７６６３表題「Broadband  Frequency  Translation  for  High  Frequency  Regeneration」２００３年１０月２日発行、米国特許出願公開番号２００３０２３３２３４表題「Audio  Coding  System  Using  Spectral  Hole  Filling」２００３年１２月１８日発行、米国特許出願公開番号２００３０２３３２３６表題「Audio  Coding  System  Using  Characteristics  of  a  Decoded  Signal  to  Adapt  Synthesized  Spectral  Components」２００３年１２月１８日発行、及び、米国特許出願公開番号２００４０２２５５０５表題「Improved  Audio  Coding  Systems  and  Methods  Using  Spectral  Component  Coupling  and  Spectral  Component  Regeneration」２００４年１１月１１日発行に開示されている。これらは全てここで参考文献として組み込まれる。
【手続補正４】
【補正対象書類名】明細書
【補正対象項目名】００２６
【補正方法】変更
【補正の内容】
【００２６】
デコードし再エンコードするタイプの従来技術のトランスコーダを、複雑さとコストを低減するために採用しているが、ロバストな予備オーディオビットストリームを外部のＡＣ−３デコーダに準拠して用いることができるＡＣ−３ビットストリームに変換するために、複雑でない部分を有するトランスコーダを採用しても良い。ここで「ＡＣ−３に準拠するデータストリーム又はビットストリーム」によりとは、「準拠する」ビットストリームは、（「準拠する」ビットストリームは、Ｓ／ＰＤＩＦ、Ｔｏｓｌｉｎｋ、又は他の結合インターフェースの要求を満足させるためのフォーマットを必要とするかもしれないが）標準的なＡＣ−３デコーダデでデコードすることができることを意味する。複雑でない部分を有するトランスコーダは、米国特許出願公開番号２００４０１６５６６７表題「Conversion  of  Synthesized  Spectral  Components  for  Encoding  and  Low-Complexity  Transcoding」２００４年８月２６日発行に記載されており、この出願は全て引用文献としてここに組み込まれる。この出願に記載の方法又は装置によれば、トランスコーディングの質の劣化を最小限にして、比較的複雑でない操作でコンバージョンがなされる。
【手続補正５】
【補正対象書類名】明細書
【補正対象項目名】００２７
【補正方法】変更
【補正の内容】
【００２７】
前記出願公開番号２００４０１６５６６７に記載されたトランスコーダは、従来のエンコーダとデコーダにおいて必要とされる分析や合成フィルタリングのような機能をトランスコーディング処理から除外している。最も簡単な形態においては、上記出願によるトランスコーディングは、スペクトル情報を逆量子化するのに必要とする範囲に対してのみ部分的なデコーディング処理を行い、スペクトル情報を再量子化するのに必要とする範囲に対してのみ部分的なエンコーディング処理を行う。逆量子化と再量子化を制御するのに必要な制御パラメータをエンコードされた信号から取得することにより、トランスコーディング処理はさらに単純化することができる。
【手続補正６】
【補正対象書類名】明細書
【補正対象項目名】００４４
【補正方法】変更
【補正の内容】
【００４４】
図２を参照すると、デコード及び再エンコードするタイプの先行技術のトランスコーダを、トランスコーダ１４の基本的な機能を提供するために採用してもよいが、複雑さとコストを低減するために、前述した米国特許出願公開番号２００４０１６５６６７に記載の複雑でない部分を有するトランスコーダを、ＡＣ−３デコーダと共に使用するためにロバストな予備オーディオビットストリームをＡＣ−３に準拠するビットストリームに変換するために用いても良い。
【手続補正７】
【補正対象書類名】明細書
【補正対象項目名】００４９
【補正方法】変更
【補正の内容】
【００４９】
図２の構成に関連して説明したとおり、米国特許出願公開番号２００４０１６５６６７に記載されているように、トランスコーダ１４は、複雑でない部分を有するかもしれない。加えて、図２の構成に関連して説明したように、トランスコーダ１４は、ロバストなオーディオを５．１チャンネルＡＣ−３主オーディオのフォーマットとより互換性を持たせるために、ある程度のチャンネルフォーマット処理を行っても良い。
【手続補正８】
【補正対象書類名】図面
【補正対象項目名】図１
【補正方法】変更
【補正の内容】
【図１】
2006518049.tif 000001
【手続補正９】
【補正対象書類名】図面
【補正対象項目名】図３
【補正方法】変更
【補正の内容】
【図３】
2006518049.tif 000002
【手続補正１０】
【補正対象書類名】図面
【補正対象項目名】図４
【補正方法】変更
【補正の内容】
【図４】
2006518049.tif 000003